(57)【要約】【課題】スロッタナイフに関し、スロット加工時に発生する糸状屑を離脱し易くすることができるようにする。【解決手段】雄刃（３０）と雌刃（４０）との剪断によって段ボールシートに溝を加工する上下一対のスロッタナイフ（３０，４０）であって、上記上下一対のスロッタナイフ（３０，４０）のうち少なくともいずれか一方のスロッタナイフ（３０，４０）のエッジの側面に凹み（３３，４３）を連続的に設けるようにする。【選択図】        図１
2005040997.tif 000002
【特許請求の範囲】
【請求項１】
雄刃と雌刃との剪断によって段ボールシートに溝を加工する上下一対のスロッタナイフであって、
上記上下一対のスロッタナイフのうち少なくともいずれか一方のスロッタナイフのエッジの側面に凹みが連続的に設けられていることを特徴とする、スロッタナイフ。
【請求項２】
上記一方のスロッタナイフの該エッジの側面における該凹みの相互間に、該エッジに対して凹まない残存部が設けられ、該残存部は、上記上下一対のスロッタナイフのうちの他方のスロッタナイフのエッジと協働して、該段ボールシートの糸状屑を短く分断することを特徴とする、請求項１記載のスロッタナイフ。
【請求項３】
該雄刃の刃先の該段ボールシートと対向する面に、該上スロッタナイフ全長にわたってエッジを鋭角にする曲面状の溝が設けられていることを特徴とする、請求項１又は２記載のスロッタナイフ。
【発明の詳細な説明】
【０００１】
【発明の属する技術分野】
本発明は、段ボール箱を製造する段ボール製函機に設けられ、段ボールシートにスロット加工を施すスロッタナイフに関するものである。
【０００２】
【従来の技術】
従来から、段ボール製函機においては、図９に示すように、コルゲートマシン（図示略）で製造された段ボールシート１が、給紙部５０から一枚ずつ下流工程に供給される（例えば、特許文献１参照）。この下流工程では、印刷部５１で段ボールシート１に所定の印刷が施され、スロッタクリーザ部５２で段ボールシート１に罫線やスロッタ溝（以下、スロットという）や糊付用のフラップ等の形成加工及び化粧断ちのためのスリットの切断等が行なわれる。このようにして、段ボールシート１は図１０に示すような形状（展開型）に加工される。なお、図１０において、スロッタクリーザ部５２で加工されたスロットＳや糊付用のフラップＦおよび化粧断ちのためのスリットＬにそれぞれ対応するスロット屑を２，フラップ屑を３，スリット屑を４として示している。
【０００３】
段ボールシート１は、ライナ１ａ，１ｂに段繰り形成された中芯１ｃの段頂部が貼合わされることによって製造されているが、図１０に示すように、スロッタクリーザ部５２で加工される段ボールシート１のスロットＳやスリットＬの切断線は、一般に段ボールシート１の中芯１ｃの段頂部と平行になるように加工される。
【０００４】
このように加工された段ボールシート１は、段ボール製函機においてさらに下流工程（図示せず）に供給され、例えば、ダイカット部で打ち抜き加工され、糊付け部でフラップＦに糊付けされた後、フォルディング部において折り曲げられて所定の形状に折畳められ、カウンタエゼクタ部において、所定数量にまとめられて積み上げられるようになっている。
【０００５】
次に、スロッタクリーザ部５２において、スロットＳ等を加工するスロット加工部について詳細に説明する。図９，図１１に示すように、スロット加工部には、上スロッタ軸１０および下スロッタ軸１１がそなえられ、これら上下スロッタ軸１０，１１は矢印１８ａ，１８ｂに示す方向にそれぞれ回転駆動されるようになっている。上スロッタ軸１０には上スロッタヘッド１２がそなえられ、この上スロッタヘッド１２には雄刃である２枚の上スロッタナイフ１４ａ，１４ｂが円周方向に間をおいて取り付けられている。
【０００６】
また、下スロッタ軸１１には下スロッタヘッド１３がそなえられ、この下スロッタヘッド１３には雌刃である下スロッタナイフ１６が取り付けられている。そして、２枚のスロッタナイフ１４（２つの上スロッタナイフ１４ａ，１４ｂを区別しない場合は符号１４で示す）によって、図１０に示すように、段ボールシート１の前後のスロットＳが加工される。
【０００７】
なお、ここでは、上スロッタナイフ１４ａにより、段ボールシート１の進行方向（図１０中の矢印参照）における前側の溝を加工し、上スロッタナイフ１４ｂにより、段ボールシート１の進行方向後ろ側の溝を加工する。
そして、スロットＳを加工する上下スロッタヘッド１２，１３及び上下スロッタナイフ１４，１６は、上下スロッタ軸１０，１１にそれぞれ図１０に示すスロットＳの箇所数だけ配置されている。
【０００８】
図１２に示すように、上スロッタナイフ１４は、図示しないボルト等で固定され上スロッタヘッド１２と押え板１５とに挟持されている。また、下スロッタナイフ１６は、下スロッタヘッド１３に２枚のナイフ１６ａ，１６ｂが間隔筒１７を挟んで取り付けられることによって雌刃として構成されている。各上スロッタナイフ１４ａ，１４ｂは２枚のナイフ１６ａ，１６ｂの間に嵌入して段ボールシート１の溝加工を行なう。つまり、スロットＳは、上スロッタナイフ１４と下スロッタナイフ１６とのエッジの剪断作用により施される。このとき、段ボールシート１は上スロッタヘッド１２の外周部１２ａと下スロッタヘッド１３との外周部１３ａとに挟まれて送られる。
【０００９】
ところで、このような従来のスロット加工部の上スロッタナイフ１４には、その先端に突起部をそなえたものが使われる（例えば、特許文献１）。このように突起部をそなえる理由は、スロットＳの端部Ｓ１（図１０参照）を切るときは、上スロッタナイフ１４の刃を受ける下側の受部材が無いため、剪断とか押し切りでは切れないためである。
【００１０】
以上のような構成により、従来のスロッタクリーザ部５２のスロット加工部では、段ボールシート１にスロット加工が施されるようになっている。
【００１１】
【特許文献１】
特開２００１−２８７２８５号公報
【００１２】
【発明が解決しようとする課題】
しかしながら、上記のような従来のスロット加工部（スロッタクリーザ部）には、次のような段ボールシートの加工に特有の課題がある。
図１３（ａ）〜（ｅ）は段ボールシートをスロッタナイフで切断するときの過程を説明する図である。図１３（ａ）は段ボールシート１が上下スロッタナイフ１４，１６に挟み込まれる直前の図であり、上スロッタナイフ１４は、この状態から図１３（ｂ）に示すように、下スロッタナイフ１６ａ，１６ｂの間に向けて段ボールシート１を上方から押し潰していく。このとき、図１３（ｂ）に示すように、段ボールシート１が潰されると中芯１ｃの段頂部が扁平に変形し、更に潰れると段頂部の側面部がＳ字状に変形して中芯１ｃに重なり部Ｚが形成される。そして、図１３（ｃ）に示すように、上スロッタナイフ１４が段ボールシート１を上方からさらに押し潰していき、段ボールシート１のライナ１ａが上スロッタナイフ１４により切断され、段ボールシート１のライナ１ｂが下スロッタナイフ１６により切断される。そして、図１３（ｄ）に示すように、中芯１ｃの重なり部Ｚが上下スロッタナイフ１４，１６の側面の切断線に重なると、段ボールシート１は重なり部Ｚが上下スロッタナイフ１４，１６に挟み込まれることにより、段ボールシート１の重なり部Ｚが上下スロッタナイフ１４，１６の側面（エッジ）で剪断され、段ボールシート１が切断される。その結果、図１３（ｅ）に示すように、切断された中芯１ｃの重なり部Ｚはスロット屑２と分断されて細い糸状の紙片（以後「糸状屑」と記す）として形成され、この糸状屑１８が段ボールシート１側に残った状態になってしまう。つまり、重なり部Ｚは、スロット屑２側の糸状屑１９と分離して糸状屑１８となり、段ボールシート１のライナ１ａ，１ｂの間に挟まったままの状態になってしまう。
【００１３】
図１４は図１３（ｄ）または図１３（ｅ）の状態の段ボールシート１をライナ１ａを破断して示す図である。糸状屑１８の発生メカニズムをさらに詳述すると、図１４に示すように、中芯１ｃの重なり部Ｚが破線Ｚ１，Ｚ２に示す範囲で形成され、この重なり部Ｚに二点鎖線で示すスロット（上下スロットナイフ１４，１６）の切断線Ｔが入るため、中芯１ｃの重なり部Ｚの切断線Ｔの内側はスロット屑２側の糸状屑１９としてスロット屑２とともに機外に排出されるが、重なり部Ｚの切断線Ｔの外側は段ボールシート１側の糸状屑１８としてスロットＳの付け根Ｓ０において段ボールシート１から完全に切断されずに段ボールシート１側に残ってしまう。つまり、糸状屑１８は段ボールシート１の中芯１ｃと繋がったままになってしまい、糸状屑１８はシート１から離れにくくなる。なお、糸状屑１８は、中芯１ｃの潰れ方によっては、スロットＳの途中にも発生する場合もある。
【００１４】
ここで、この糸状屑１８が細いものとなった場合には、図１５に示すように、糸状屑１８がライナ１ａ，１ｂの間から容易にはみ出してしまう。そして、この糸状屑１８が段ボールシート１に残ったまま次工程に運ばれて最終製品としての段ボール箱になると、当然段ボール箱としての品質が低下してしまう。
また、このような細い糸状屑１８が完全に分離されていない段ボール箱に箱詰め工程で品物を詰めたり、封緘したりすると、これらの工程中に振動や衝撃によって糸状屑１８が切断し、一部は外部に落ちるが一部は箱の内部に落ちてしまう。即ち、包装される品物の中に糸状屑１８が紛れ込むことになってしまう。このように包装される品物の中に糸状屑１８が紛れ込むことは、特に食品などの清潔を旨とする商品では許されることではない。
【００１５】
本発明は、上述の課題に鑑み創案されたもので、スロット加工時に発生する糸状屑を離脱し易くすることができるようにした、スロッタナイフを提供することを目的とする。
【００１６】
【課題を解決するための手段】
このため、請求項１記載の本発明のスロッタナイフは、雄刃と雌刃との剪断によって段ボールシートに溝を加工する上下一対のスロッタナイフであって、上記上下一対のスロッタナイフのうち少なくともいずれか一方のスロッタナイフのエッジの側面に凹みが連続的に設けられていることを特徴としている。
【００１７】
なお、上記一方のスロッタナイフのエッジの側面における凹みの相互間に、エッジに対して凹まない残存部が設けられ、残存部は、上記上下一対のスロッタナイフのうちの他方のスロッタナイフのエッジと協働して、段ボールシートの糸状屑を短く分断することが好ましい（請求項２）。
また、雄刃の刃先の該段ボールシートと対向する面に、上スロッタナイフ全長にわたってエッジを鋭角にする曲面状の溝が設けられていることが好ましい（請求項３）。
【００１８】
【発明の実施の形態】
以下、図面により、本発明の実施の形態について説明すると、図１〜図７は本発明の一実施形態としてのスロッタナイフを示すもので、図１はその斜視図、図２（ａ）〜（ｃ）は上スロッタナイフ刃先部の詳細図であり、図２（ａ）はその断面図、図２（ｂ）は図２（ａ）のＢ視側面図、図２（ｃ）は図２（ａ）のＣ視周面図、図３（ａ），（ｂ）は下スロッタナイフ刃先部の詳細図であり、図３（ａ）はその断面図、図３（ｂ）は図３（ａ）のＤ視側面図、図４は本発明のスロッタナイフで切断したスロットの切口形状を示す図、図５は本発明のスロッタナイフで切断したときの糸状屑の切断状態を説明する図、図６は本発明のスロッタナイフによる切断線ＴＮを従来のスロッタナイフによる切断線Ｔと対比して説明するための図、図７はそのスロッタナイフの凹み形状を説明する断面図である。
【００１９】
本実施形態の上下スロッタナイフ３０，４０は、図９に示したような従来のスロット加工部（スロッタクリーザ部）５２と同様のスロット加工部に設けられており、上下スロッタナイフ１４，１６に対して、各ナイフのエッジ部の構造のみが異なっている。
つまり、図１〜図３に示すように、本実施形態のスロッタナイフは、雄刃である上スロッタナイフ３０の両エッジ３１，３２のナイフ側面側に凹み３３が連続的に設けられており、雌刃である下スロッタナイフ４０における上スロッタナイフ３０の各エッジと対応するエッジ４１，４２のナイフ側面にも凹み４３が連続的に設けられている。
【００２０】
上スロッタナイフ３０に設けられた凹み３３の相互間には、図２（ｂ）に示すように、エッジに対して凹まない残存部３４が連続的に設けられている。つまり、図２（ｃ）に示すように、上スロッタナイフ３０の刃先には、上スロッタナイフの各エッジ３１，３２に対して凹み３３と残存部３４とが交互に連続して設けられている。
【００２１】
これと同様に、図３（ｂ）に示すように、下スロッタナイフ４０に設けられた凹み４３の相互間にもエッジに対して凹まない残存部４６が設けられ、下スロッタナイフ４０の各エッジ４１，４２に対して凹み４３と残存部４６とが交互に連続して設けられている。
なお、本実施形態の下スロッタナイフ４０は、上記の図１２に示したような従来の下スロッタナイフと同様に、下スロッタヘッド（図示略）に２枚のナイフ４４，４５が間隔筒（図示略）を挟んで取り付けられることによって雌刃として構成されている。
【００２２】
本発明の一実施形態としてのスロッタナイフは、上述のように構成されており、このように上下スロッタナイフ３０，４０に凹み３３，４３を形成しているので、上下スロッタナイフ３０，４０によりスロットＳを加工すると、スロットＳ側面の切口は図４に示すように切断線ＴＮで示すように波形状のものになる。
このように段ボールシート１が切断線ＴＮで示す波形状に切断されるのは、上下スロッタナイフ３０，４０にそれぞれ設けられた残存部３４，４６が、それぞれの対向するスロッタナイフのエッジ（エッジよりもやや回転中心側の凹み３３，４３の基部３３ａ，４３ａ）と協働して段ボールシート１を切断するからである。
【００２３】
このようにスロットＳの切口が波形状になると、図５に示すように、切口に、図１３に示した中芯１ｃの重なり部Ｚがきたときには、重なり部Ｚも切断線ＴＮで示す波形状に切断される。
この切断線ＴＮは、図６に示すように、上記の図９，図１１，図１２に示したような従来のスロッタナイフによる切断線Ｔに対して、切断線Ｔを跨ぐように、スロット屑２の内側外側両方に曲線状に飛び出るような波形状になる。したがって、上記のような従来のスロッタナイフで加工した切断線Ｔに対して、重なり部Ｚの外側（段ボールシート１側）の糸状屑１８（図中切断線Ｔと破線Ｚ１とで挟まれた網かけをつけた範囲）が微小である場合、つまり両矢印Ｙに示す切断線Ｔに対して切断線ＴＮが外側に飛び出る範囲内に重なり部Ｚの外側の端部（破線Ｚ１）が収まる場合には、重なり部Ｚの外側の端部（破線Ｚ１）は切断線ＴＮにより切断され、糸状屑１８が切断線ＴＮによって分断されることになる。これにより、従来のようなスロッタナイフで加工した場合に糸状屑１８として発生する部分のうち、図中斜線で示す部分についてはスロット屑２側の糸状屑３５になり、図中網かけで示す部分については細かく分断された段ボールシート１側の糸状屑３６になる。
【００２４】
このように、本実施形態のスロッタナイフ３０，４０によれば、上記のような従来のスロッタナイフでは段ボールシート１側に細い糸状屑が発生してしまう場合には、破線Ｚ１，Ｚ２に示す範囲の重なり部Ｚのうちの、スロット屑２側の糸状屑３５が短く分断されるとともに、段ボールシート１側の糸状屑３６（図５中斜線部）も短く分断される。このように、段ボールシート１側に残る糸状屑３６が短く分断されると、分断された糸状屑３６は段ボールシート１と繋がったところがなくなるため、この糸状屑３６は、段ボールシート１から離脱し易くなる。
【００２５】
段ボール製函機では、段ボールシート１は、スロット加工後、例えば、下流工程において打ち抜き加工されたり糊付け加工されたりした後、折り曲げられて所定の形状に折畳まれるが、このとき、段ボールシート１は、搬送中に振動を受けたり、各加工部において機器と接触したり、ブロアによって空気を吹付けられたりして振動や衝撃等を受けることなる。したがって、本実施形態の上下スロッタナイフ３０，４０でスロット加工されて糸状屑３６が短く分断されると、スロットＳ加工時に糸状屑３６が段ボールシート１と分離しなくても、糸状屑３６は、上記のような下流工程での段ボールシート１に対する振動や衝撃等によって、段ボールシート１から容易に離脱するようになる。
【００２６】
また、本実施形態の上下スロッタナイフ３０，４０でスロット加工を施しても、スロットＳの付け根Ｓ０において、重なり部Ｚが完全に切断されずに中芯１ｃと繋がったままになり、中芯１ｃと繋がった糸状屑３６ａが発生してしまう場合がある。しかしながら、本実施形態の上下スロッタナイフ３０，４０によれば、重なり部Ｚが短く分断されるため、糸状屑３６ａも短く分断されて非常に短いものになり、この糸状屑３６ａによって段ボール箱の見栄え上の品質を著しく低下させてしまうようなことがなくなる。
なお、図５，図６において、本実施形態のスロッタナイフによる切断線ＴＮの特徴をより明瞭に示すため、切断線ＴＮの波形状をスロットＳに対して大きく示したが、実際の切断線ＴＮの波形状はスロットＳに対してこれほど大きいものではない。
【００２７】
ところで、本実施形態の上下スロッタナイフ３０，４０にそれぞれ設けられた凹み３３，４３は、その凹み形状が深く大きくなれば、糸状屑３６の分断効果は当然大きくなるが、その一方で、凹み形状が深く大きくなると、スロットＳの切口（切断面）の切断線ＴＮは大きな波形状となるため、製品としての見栄えが悪化してしまう。これとは逆に、凹み形状が浅く小さくなると、スロットＳの切口（切断面）の見栄えは良くなるが、糸状屑３６の分断効果は低下してしまう。
【００２８】
また、図７（ａ）に示すように、上スロッタナイフ３０の凹み形状の高さＨＵと下スロッタナイフ４０の凹み形状の高さＨＬとが共に高いと、上下スロッタナイフ３０，４０の刃合わせの際に、上スロッタナイフ３０が下スロッタナイフ４０に一定の深さまで進入しても、上下スロッタナイフ３０，４０のそれぞれの側面が互いに接触しない隙間Ｗが発生してしまい、この隙間Ｗが発生した部分では段ボールシート１が切断されずに切り残りが発生してしまう。
【００２９】
これらより、スロットＳの切口の見栄えと糸状屑３６の分断効果とをバランスさせるとともに、段ボールシート１を確実に切断し得る凹み形状（深さＤ，角度θ，ピッチＰ）としては、例えば、上スロッタナイフ３０の凹み３３では、深さＤＵが０．５ｍｍ程度，角度θＵが３０°程度，ピッチＰＵが４ｍｍ程度が好ましく［図２（ａ），（ｂ）参照］、これに対して、下スロッタナイフ３２の凹み３３は、深さＤＬが１ｍｍ程度，角度θＬが６０°程度，ピッチＰＬが２ｍｍ程度が好ましい［図３（ａ），（ｂ）参照］。
【００３０】
このように構成することにより、図７（ｂ）に示すように、上下スロッタナイフ３０，４０の刃合わせの際には、上スロッタナイフ３０が下スロッタナイフ４０に一定の深さまで進入すれば、隙間Ｗは発生せず、上スロッタナイフ３０の側面と下スロッタナイフ４０の側面とが重なってラップ部Ｒが形成されて、段ボールシート１が確実に切断される。
なお、この場合には、スロットＳの付け根Ｓ０において発生する糸状屑３６ａは５〜１０ｍｍ程度と非常に短いものになり、段ボールシート１の見栄え上の品質が損なわれることはない。
【００３１】
このように、上下スロッタナイフ３０，４０の各エッジの側面にそれぞれ設けられた残存部３４，４６がそれぞれ対向するスロッタナイフのエッジと協働して段ボールシート１を切断するため、中芯１ｃの重なり部Ｚによって発生する糸状屑３６が細く発生する場合には、スロットＳを加工する際に発生する糸状屑３６が短く分断され、その結果、糸状屑３６が段ボールシート１から離脱しやすくなり、段ボール製函機におけるスロット加工の下流工程において段ボールシート１に加わる振動や衝撃等によって糸状屑３６が段ボールシート１から容易に分離するようになる。したがって、最終製品としての段ボール箱に糸状屑３６が離脱せずに残っているようなことを防ぐことができるとともに、糸状屑３６が、製造された段ボール箱に包装される品物と一緒に段ボール箱の内部に紛れ込むようなことを抑制することができる。
【００３２】
また、本実施形態の上下スロッタナイフ３０，４０によれば、スロットＳの付け根Ｓ０において段ボールシート１（中芯１ｃ）から完全に切断されずに残ってしまった糸状屑３６ａが発生したとしても、重なり部Ｚが細かく分断されるため、この糸状屑３６ａも短いものとなり、この糸状屑３６ａによって段ボール箱の見栄え上の品質を著しく低下させてしまうことがなくなる。
【００３３】
さらに、本実施形態の上下スロッタナイフ３０，４０は、例えば、図９，１２，１３に示したような従来の既存のスロッタナイフを再利用して、その既存のスロッタナイフのエッジに凹みを連続的に加工することにより構成することができるため、既存のスロッタナイフを容易にかつ低コストで本実施形態のスロッタナイフに改良することができる。
【００３４】
以上、本発明の実施形態を説明したが、本発明はかかる実施形態に限定されるものではなく、本発明の趣旨を逸脱しない範囲で種々変形して実施することができる。
例えば、上記実施形態では、上下スロッタナイフともにエッジに凹みを連続的に設けたが、上下スロッタナイフのうちのいずれか一方のみに凹みを設けるようにしても良い。この場合でも、重なり部Ｚは上下スロッタナイフ双方に凹みを設けた場合と略同様に細かく分断される。
【００３５】
また、上記実施形態では、雄刃を上スロッタナイフ、雌刃を下スロッタナイフとしたが、これを上下逆に、雄刃を下スロッタナイフ、雌刃を上スロッタナイフとしても良い。
さらに、図２（ａ）に対応する図８（ａ）に示すように、上記実施形態の変形例として、上スロッタナイフ３０の段ボールシート１に対向する面に上スロッタナイフ３０全長にわたって曲面状の溝３７を設けるようにしてもよい。このように、上スロッタナイフ３０の刃先の段ボールシート１と対抗する面に上スロッタナイフ３０全長にわたって溝３７を設けることにより、上スロッタナイフ３０のエッジを鋭利にすることができる。
【００３６】
これにより、上スロッタナイフ３０の切味が向上し、糸状屑３６が確実に切断されるとともに加工されるスロットＳの切口（切断面）がきれいになり、加工される段ボールシート１の品質が向上される。また、上スロッタナイフ３０のエッジが鋭利であるため、上スロッタナイフ３０が段ボールシート１を上方から押し潰していく際に、上スロッタナイフ３０が段ボールシート１に食込んで切断を開始するため、段ボールシート１を過度に押し潰して中芯１ｃの重なり部Ｚが大きく形成されたり、ライナが押し潰されて段ボールシート１の見栄えが悪化したりすることが抑制される。
【００３７】
また、図２（ｂ），（ｃ）に対応する図８（ｂ），（ｃ）に示すように、上スロッタナイフ３０のエッジに連続的に設けられる凹み３３の間隔（即ち、凹みの相互間の間隔）を上記実施形態よりも若干広くして、残存部３４を大きくするように構成してもよい。これに伴って、発生する糸状屑３６も若干大きくなるが、上スロッタナイフ３０に加工する凹み３３が減少するため、上スロッタナイフ３０の製造コストを低減化することができる。なお、これと同様に、下スロッタナイフ４０についても、残存部４６を大きくするように構成しても良い。
【００３８】
【発明の効果】
以上詳述したように、本発明のスロッタナイフによれば、スロット加工時に、段ボールシートの中芯の重なり部により発生する糸状屑が短く分断され、糸状屑が段ボールシートから離脱しやすくなり、段ボール製函機におけるスロット加工の下流工程において段ボールシートに加わる振動や衝撃等によって、分断された糸状屑が段ボールシートから容易に分離するようになる。したがって、最終製品としての段ボール箱に糸状屑が離脱せずに残っているようなことを防ぐことができるとともに、糸状屑が、製造された段ボール箱に包装される品物と一緒に段ボール箱の内部に紛れ込むようなことを抑制することができる。
【００３９】
また、スロットの付け根において段ボールシート（中芯）から完全に切断されずに残ってしまった糸状屑が発生したとしても、重なり部が細かく分断されるため、段ボールシートと繋がったままの糸状屑も短く切断されることになり、従来のように段ボールシートと繋がったままの糸状屑によって段ボール箱の見栄え上の品質が著しく低下してしまうことがなくなる。
【００４０】
さらに、本発明のスロッタナイフは、既存のスロッタナイフを再利用して、その既存のスロッタナイフのエッジに凹みを連続的に加工することにより構成することができるため、既存のスロッタナイフを容易にかつ低コストで本発明のスロッタナイフに改良することができる。
また、雄刃のスロッタナイフ刃先の段ボールシートと対抗する面にスロッタナイフ全長にわたって溝を設けることにより、このスロッタナイフのエッジを鋭利にすることができる。これにより、スロッタナイフの切味が向上し、糸状屑が確実に切断されるとともに加工されるスロットの切口（切断面）がきれいになり、加工される段ボールシートの品質が向上される。また、スロッタナイフのエッジが鋭利であるため、スロッタナイフが段ボールシートを押し潰していく際に、スロッタナイフが段ボールシートに食込んで切断を開始するため、段ボールシートを過度に押し潰して中芯の重なり部が大きく形成されたり、ライナが押し潰されて段ボールシートの見栄えが悪化したりすることを抑制することができる。
【図面の簡単な説明】
【図１】本発明の一実施形態としてのスロッタナイフの斜視図である。
【図２】本発明の一実施形態としての上スロッタナイフ刃先部を示す図であり、（ａ）はその断面図、（ｂ）は（ａ）のＢ視側面図、（ｃ）は（ａ）のＣ視側面図である。
【図３】本発明の一実施形態としての下スロッタナイフ刃先部を示す図であり、（ａ）はその断面図、（ｂ）は図３（ａ）のＤ視側面図である。
【図４】本発明の一実施形態としてのスロッタナイフで切断したスロットの切口形状を示す図である。
【図５】本発明の一実施形態としてのスロッタナイフで切断したときの糸状屑の切断状態を説明する図である。
【図６】本発明の一実施形態としてのスロッタナイフによる切断線を従来のスロッタナイフによる切断線と対比して説明するための図である。
【図７】本発明の一実施形態としてのスロッタナイフの好ましい凹み形状を説明するための断面図である。
【図８】本発明の一実施形態としての上スロッタナイフの変形例を示す図であり、（ａ）はその刃先部の断面図、（ｂ）は（ａ）のＥ視側面図、（ｃ）は（ａ）のＦ視側面図である。
【図９】従来からの段ボール製函機の全体構成を模式的に示す図である。
【図１０】従来のスロット加工部で加工された段ボールシートの形状を示す図である。
【図１１】従来のスロット加工部の断面図である。
【図１２】図１１のＸ−Ｘ´断面図である。
【図１３】段ボールシートをスロッタナイフで切断するときの過程を（ａ）〜（ｅ）の順に説明する模式的断面図である。
【図１４】図１３（ｄ）または図１３（ｅ）の状態の段ボールシート１をライナ１ａを破断して示す模式図である。
【図１５】従来のスロッタナイフで加工したスロットを示す模式図である。
【符号の説明】
１  段ボールシート
１ａ，１ｂ  ライナ
１ｃ  中芯
２  スロット屑
３  フラップ屑
４  スリット屑
１０  上スロッタ軸
１１  下スロッタ軸
１２  上スロッタヘッド
１２ａ，１３ａ  外周部
１３  下スロッタヘッド
１４，１４ａ，１４ｂ  上スロッタナイフ
１５  押え板
１６，１６ａ，１６ｂ  下スロッタナイフ
１７  間隔筒
１８，１９，３５，３６  糸状屑
３０  上スロッタナイフ
３１，３２，４１，４２  エッジ
３３，４３  凹み
３３ａ，４３ａ  凹み基部
３４，４６  残存部
３７  溝
４０  下スロッタナイフ
４４，４５  ナイフ
５０  給紙部
５１  印刷部
５２  スロッタクリーザ部
Ｆ  フラップ
Ｌ  スリット
Ｒ  ラップ部
Ｓ  スロット
Ｓ０  スロット付け根
Ｓ１  スロット端部
Ｔ，ＴＮ  切断線
Ｗ  隙間
Ｚ  重なり部
【図１】
2005040997.tif 000003
【図２】
2005040997.tif 000004
【図３】
2005040997.tif 000005
【図４】
2005040997.tif 000006
【図５】
2005040997.tif 000007
【図６】
2005040997.tif 000008
【図７】
2005040997.tif 000009
【図８】
2005040997.tif 000010
【図９】
2005040997.tif 000011
【図１０】
2005040997.tif 000012
【図１１】
2005040997.tif 000013
【図１２】
2005040997.tif 000014
【図１３】
2005040997.tif 000015
【図１４】
2005040997.tif 000016
【図１５】
2005040997.tif 000017